(57)【要約】【課題】本発明はノートパソコン用照明ライトを開示した。【解決手段】取り付けブロックを含み、挟み板を押すことでライトをデスクにきつく挟むことができ、スタンドを回転させ、スタンドと引っ掛かり溝とが引っ掛かり、挟みバネはスライド軸と固定ピンとを連動させてスタンドをきつく挟せることができ、スタンドが縦位置に回転した後に支持脚としてデスクに置かれたライトを支持することができ、暗い環境でノートパソコンを使用することに便利であり、複数のライトの置き方を提供し、異なる場合に合わせて選択でき、デスクの占めされた空間を減らし、ＵＳＢブラグが緩くなることを防止でき、光が直接に照射することではなくて反射によって照明し、光線をより柔らかくにし、目を保護する。【選択図】図１
2020184498.tif 000002
【特許請求の範囲】
【請求項１】
正面視で、取り付けブロックを含み、前記取り付けブロックの底部端面にはライトを支持できる支持ブロックが前後に対称的に固定的に取り付けられ、前記支持ブロックの中には支持部品が設けられ、前記支持部品は前記支持ブロックの内部に左右に対称的に設けられたバネ溝を含み、前記バネ溝の方側内壁と前記支持ブロックの片側端面との間にはスライド軸がスライドできるように取り付けられ、前記スライド軸にはスタンドが回転できるように取り付けられ、前記スライド軸にはスタンドを圧着することができる固定ピンが取り付けられ、前記スライド軸の片側端面には位置制限ブロックが固定的に取り付けられ、前記位置制限ブロックと前記バネ溝の片側内壁との間には圧着力を提供できる挟みバネが固定的に取り付けられ、前記支持ブロックの左右端面には引っ掛かり溝が左右に対称的に設けられ、前記スタンドを回転させて前記スタンドの支持作用を果す時、前記挟みバネが前記固定ピンを連動させ、前記固定ピンが前記スタンドを押し動かし、スタンドと引っ掛かり溝とをきつく挟ませ、前記取り付けブロックの前後端面の間には第一ノブ軸が回転できるように取り付けられ、前記第一ノブ軸の前後端面には角度を調節できる第一ノブが固定的に取り付けられ、前記第一ノブ軸には回転箱が固定的に取り付けられ、前記回転箱の中にはＵＳＢプラグ挿し部品が設けられ、前記ＵＳＢプラグ挿し部品は電線と前記電線を収束できるローラーチャンバとを含み、前記ローラーチャンバの上下内壁の間にはローラー軸が回転できるように取り付けられ、前記ローラー軸には前記収納溝を引き動かして収束を行うことができるローラーが固定的に取り付けられ、前記電線の一部にはＵＳＢプラグが固定的に連結され、前記ＵＳＢプラグの上側端面にはパソコンのＵＳＢ端子に差し込まれた前記ＵＳＢプラグが緩くなることを防止できる引っ掛かりバックルが固定的に取り付けられ、前記回転箱の頂部には調節部品が設けられ、前記調節部品は前記回転箱の頂部端面に設けられた収納溝を含み、前記収納溝の左右内壁の間には回転軸が回転できるように取り付けられ、前記回転軸と前記回転箱との間には前記回転軸と前記回転箱との間の回転の摩擦力を増やすことができる摩擦リングが回転できるように取り付けられ、前記回転軸には第一ヒンジロッドが固定的に取り付けられ、前記第一ヒンジロッドには第二ヒンジロッドがヒンジによって取り付けられ、前記第二ヒンジロッドの頂端には連結ブロックがヒンジによって取り付けられ、連結ブロックを引き動かすことによってラ連結ブロックの高度を変えることができ、これにより照射する面積を変えることができ、前記調節部品は第一光板も含み、前記第一光板の中には第一光溝が設けられ、前記第一光溝の中には光を反射できる反射板が固定的に取り付けられ、前記第一光溝の左側内壁の中には前記第一光溝と連通した調節溝が設けられ、前記調節溝の前後内壁の間には第二ノブ軸が回転できるように取り付けられ、前記第二ノブ軸には照明ライトが固定的に取り付けられ、前記第二ノブ軸の前後端面には第二ノブが前後に対称的に固定的に取り付けられ、前記第二ノブを回転させて前記照明ライトが前記反射板に照射する光の角度を変え、これにより光の強度と集散とを変えることを特徴とするノートパソコン用照明ライト。
【請求項２】
前記支持部品は前記回転箱の右側端面に固定的に取り付けられたフックも含み、前記支持ブロックの底部端面には挟み板がヒンジによって取り付けられ、前記支持ブロックと前記挟み板との間にはトーションバネが固定的に取り付けられ、これによりフックはライトをノートパソコンのディスプレイにかけることができ、挟み板を押すことでライトをデスクにきつく挟むことができ、スタンドを回転させ、スタンドと引っ掛かり溝とが引っ掛かり、挟みバネはスライド軸と固定ピンとを連動させてスタンドをきつく挟せることができ、スタンドが縦位置に回転した後に支持脚としてデスクに置かれたライトを支持することができることを特徴とする請求項１に記載のノートパソコン用照明ライト。
【請求項３】
前記ＵＳＢプラグ挿し部品は前記ローラー軸に固定的に取り付けられた第一歯車も含み、前記ローラーチャンバの左側内壁と前記回転箱の左側端面との間には歯車軸が回転できるように取り付けられ、前記歯車軸の左側端面には回転輪が固定的に取り付けられ、前記歯車軸の右側端面には第二歯車が固定的に取り付けられ、前記第二歯車と前記第一歯車とが噛合しており、これによりＵＳＢブラグをパソコンのＵＳＢ端子に挿した後、引っ掛かりバックルはパソコンのＵＳＢ端子に差し込まれた前記ＵＳＢプラグが緩くなることを防止でき、手動で回転輪を回転させ、回転輪が第二歯車を回転連動させ、第二歯車が回転し第一歯車を回転連動させ、第一歯車が回転しローラー軸とローラーとを回転連動させ、ローラーが回転し電線を回収することを特徴とする請求項１に記載のノートパソコン用照明ライト。
【請求項４】
前記連結ブロックの頂部端面には第二光板がヒンジによって取り付けられ、前記第二光板の中には第二光溝が設けられ、前記第二光溝の頂壁にはバックライトが固定的に取り付けられ、前記第一光板が前記第二光板の右側端面にヒンジによって取り付けられ、連結ブロックを引き動かすことで第二ヒンジロッドと第一ヒンジロッドとを上昇させることができ、第二光板と第一光板との高度を変え、第二光板を回転させることにより光の投射方向を調節でき、第二ノブを回転させ、第二ノブが第二ノブ軸と照明ライトとを回転連動させ、照明ライトから出した光が反射板に照射し、反射板が光を反射し、光の強度と集散とを調節することを特徴とする請求項１に記載のノートパソコン用照明ライト。
【発明の詳細な説明】
【技術分野】
【０００１】
本発明はコンピューター分野を取り上げて、具体的にはノートパソコン用照明ライトである。
【背景技術】
【０００２】
ノートパソコンを比較的に暗い環境で使用する時、多くのノートパソコンにはバックライトがついていないため、キーボードを使うことが結構大変なことであり、特に外部の環境が暗くなったら、ディスプレイの強い光が目を刺激し、目に一定のダメージを与え、また、デスクライトを使って照明する場合は、ライトが占めした空間が大きく、光の強度と照らす位置とをニーズに合わせて調節できない。
【先行技術文献】
【特許文献】
【０００３】
【特許文献１】中国特許出願公開第１０５０４２４７８号明細書
【発明の概要】
【発明が解決しようとする課題】
【０００４】
本発明の目的はノートパソコン用照明ライトを提供し、それは上記の現在の技術中の問題を解決できる。
【課題を解決するための手段】
【０００５】
本発明のノートパソコン用照明ライトは、取り付けブロックを含み、前記取り付けブロックの底部端面にはライトを支持できる支持ブロックが前後に対称的に固定的に取り付けられ、前記支持ブロックの中には支持部品が設けられ、前記支持部品は前記支持ブロックの内部に左右に対称的に設けられたバネ溝を含み、前記バネ溝の方側内壁と前記支持ブロックの片側端面との間にはスライド軸がスライドできるように取り付けられ、前記スライド軸にはスタンドが回転できるように取り付けられ、前記スライド軸にはスタンドを圧着することができる固定ピンが取り付けられ、前記スライド軸の片側端面には位置制限ブロックが固定的に取り付けられ、前記位置制限ブロックと前記バネ溝の片側内壁との間には圧着力を提供できる挟みバネが固定的に取り付けられ、前記支持ブロックの左右端面には引っ掛かり溝が左右に対称的に設けられ、前記スタンドを回転させて前記スタンドの支持作用を果す時、前記挟みバネが前記固定ピンを連動させ、前記固定ピンが前記スタンドを押し動かし、スタンドと引っ掛かり溝とをきつく挟ませ、前記取り付けブロックの前後端面の間には第一ノブ軸が回転できるように取り付けられ、前記第一ノブ軸の前後端面には角度を調節できる第一ノブが固定的に取り付けられ、前記第一ノブ軸には回転箱が固定的に取り付けられ、前記回転箱の中にはＵＳＢプラグ挿し部品が設けられ、前記ＵＳＢプラグ挿し部品は電線と前記電線を収束できるローラーチャンバとを含み、前記ローラーチャンバの上下内壁の間にはローラー軸が回転できるように取り付けられ、前記ローラー軸には前記収納溝を引き動かして収束を行うことができるローラーが固定的に取り付けられ、前記電線の一部にはＵＳＢプラグが固定的に連結され、前記ＵＳＢプラグの上側端面にはパソコンのＵＳＢ端子に差し込まれた前記ＵＳＢプラグが緩くなることを防止できる引っ掛かりバックルが固定的に取り付けられ、前記回転箱の頂部には調節部品が設けられ、前記調節部品は前記回転箱の頂部端面に設けられた収納溝を含み、前記収納溝の左右内壁の間には回転軸が回転できるように取り付けられ、前記回転軸と前記回転箱との間には前記回転軸と前記回転箱との間の回転の摩擦力を増やすことができる摩擦リングが回転できるように取り付けられ、前記回転軸には第一ヒンジロッドが固定的に取り付けられ、前記第一ヒンジロッドには第二ヒンジロッドがヒンジによって取り付けられ、前記第二ヒンジロッドの頂端には連結ブロックがヒンジによって取り付けられ、連結ブロックを引き動かすことによってラ連結ブロックの高度を変えることができ、これにより照射する面積を変えることができ、前記調節部品は第一光板も含み、前記第一光板の中には第一光溝が設けられ、前記第一光溝の中には光を反射できる反射板が固定的に取り付けられ、前記第一光溝の左側内壁の中には前記第一光溝と連通した調節溝が設けられ、前記調節溝の前後内壁の間には第二ノブ軸が回転できるように取り付けられ、前記第二ノブ軸には照明ライトが固定的に取り付けられ、前記第二ノブ軸の前後端面には第二ノブが前後に対称的に固定的に取り付けられ、前記第二ノブを回転させて前記照明ライトが前記反射板に照射する光の角度を変え、これにより光の強度と集散とを変える。
【０００６】
更の技術プラン、前記支持部品は前記回転箱の右側端面に固定的に取り付けられたフックも含み、前記支持ブロックの底部端面には挟み板がヒンジによって取り付けられ、前記支持ブロックと前記挟み板との間にはトーションバネが固定的に取り付けられている。
【０００７】
更の技術プラン、前記ＵＳＢプラグ挿し部品は前記ローラー軸に固定的に取り付けられた第一歯車も含み、前記ローラーチャンバの左側内壁と前記回転箱の左側端面との間には歯車軸が回転できるように取り付けられ、前記歯車軸の左側端面には回転輪が固定的に取り付けられ、前記歯車軸の右側端面には第二歯車が固定的に取り付けられ、前記第二歯車と前記第一歯車とが噛合している。
【０００８】
更の技術プラン、前記連結ブロックの頂部端面には第二光板がヒンジによって取り付けられ、前記第二光板の中には第二光溝が設けられ、前記第二光溝の頂壁にはバックライトが固定的に取り付けられ、前記第一光板が前記第二光板の右側端面にヒンジによって取り付けらている。
【発明の効果】
【０００９】
本発明は暗い環境でノートパソコンを使用することに便利であり、複数のライトの置き方を提供し、異なる場合に合わせて選択でき、デスクの占めされた空間を減らし、ＵＳＢブラグが緩くなることを防止でき、光が直接に照射することではなくて反射によって照明し、光線をより柔らかくにし、目を保護し、普及価値がある。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の全体構成略図
【図２】図２は図１の右面構成略図
【図３】図３は図１のＡのところの拡大構成略図
【図４】図４は図３のＢ―Ｂ方向からの断面構成略図
【発明を実施するための形態】
【００１２】
図１〜４を参照し、本発明のノートパソコン用照明ライトは、取り付けブロック２０を含み、前記取り付けブロック２０の底部端面にはライトを支持できる支持ブロック１０が前後に対称的に固定的に取り付けられ、前記支持ブロック１０の中には支持部品８０が設けられ、前記支持部品８０は前記支持ブロック１０の内部に左右に対称的に設けられたバネ溝１４を含み、前記バネ溝１４の方側内壁と前記支持ブロック１０の片側端面との間にはスライド軸１７がスライドできるように取り付けられ、前記スライド軸１７にはスタンド１８が回転できるように取り付けられ、前記スライド軸１７にはスタンド１８を圧着することができる固定ピン１９が取り付けられ、前記スライド軸１７の片側端面には位置制限ブロック１５が固定的に取り付けられ、前記位置制限ブロック１５と前記バネ溝１４の片側内壁との間には圧着力を提供できる挟みバネ１６が固定的に取り付けられ、前記支持ブロック１０の左右端面には引っ掛かり溝１１が左右に対称的に設けられ、前記スタンド１８を回転させて前記スタンド１８の支持作用を果す時、前記挟みバネ１６が前記固定ピン１９を連動させ、前記固定ピン１９が前記スタンド１８を押し動かし、スタンド１８と引っ掛かり溝１１とをきつく挟ませ、前記取り付けブロック２０の前後端面の間には第一ノブ軸４６が回転できるように取り付けられ、前記第一ノブ軸４６の前後端面には角度を調節できる第一ノブ４７が固定的に取り付けられ、前記第一ノブ軸４６には回転箱３２が固定的に取り付けられ、前記回転箱３２の中にはＵＳＢプラグ挿し部品８１が設けられ、前記ＵＳＢプラグ挿し部品８１は電線２２と前記電線２２を収束できるローラーチャンバ２８とを含み、前記ローラーチャンバ２８の上下内壁の間にはローラー軸３０が回転できるように取り付けられ、前記ローラー軸３０には前記収納溝３３を引き動かして収束を行うことができるローラー２９が固定的に取り付けられ、前記電線２２の一部にはＵＳＢプラグ２３が固定的に連結され、前記ＵＳＢプラグ２３の上側端面にはパソコンのＵＳＢ端子に差し込まれた前記ＵＳＢプラグ２３が緩くなることを防止できる引っ掛かりバックル２４が固定的に取り付けられ、前記回転箱３２の頂部には調節部品８２が設けられ、前記調節部品８２は前記回転箱３２の頂部端面に設けられた収納溝３３を含み、前記収納溝３３の左右内壁の間には回転軸３４が回転できるように取り付けられ、前記回転軸３４と前記回転箱３２との間には前記回転軸３４と前記回転箱３２との間の回転の摩擦力を増やすことができる摩擦リング３５が回転できるように取り付けられ、前記回転軸３４には第一ヒンジロッド５３が固定的に取り付けられ、前記第一ヒンジロッド５３には第二ヒンジロッド３６がヒンジによって取り付けられ、前記第二ヒンジロッド３６の頂端には連結ブロック３７がヒンジによって取り付けられ、連結ブロック３７を引き動かすことによってラ連結ブロック３７の高度を変えることができ、これにより照射する面積を変えることができ、前記調節部品８２は第一光板４３も含み、前記第一光板４３の中には第一光溝４５が設けられ、前記第一光溝４５の中には光を反射できる反射板４４が固定的に取り付けられ、前記第一光溝４５の左側内壁の中には前記第一光溝４５と連通した調節溝４８が設けられ、前記調節溝４８の前後内壁の間には第二ノブ軸４９が回転できるように取り付けられ、前記第二ノブ軸４９には照明ライト５０が固定的に取り付けられ、前記第二ノブ軸４９の前後端面には第二ノブ５１が前後に対称的に固定的に取り付けられ、前記第二ノブ５１を回転させて前記照明ライト５０が前記反射板４４に照射する光の角度を変え、これにより光の強度と集散とを変える。
【００１３】
前記支持部品８０は前記回転箱３２の右側端面に固定的に取り付けられたフック２１も含み、前記支持ブロック１０の底部端面には挟み板１２がヒンジによって取り付けられ、前記支持ブロック１０と前記挟み板１２との間にはトーションバネ１３が固定的に取り付けられ、これによりフック２１はライトをノートパソコンのディスプレイにかけることができ、挟み板１２を押すことでライトをデスクにきつく挟むことができ、スタンド１８を回転させ、スタンド１８と引っ掛かり溝１１とが引っ掛かり、挟みバネ１６はスライド軸１７と固定ピン１９とを連動させてスタンド１８をきつく挟せることができ、スタンド１８が縦位置に回転した後に支持脚としてデスクに置かれたライトを支持することができる。
【００１４】
前記ＵＳＢプラグ挿し部品８１は前記ローラー軸３０に固定的に取り付けられた第一歯車２７も含み、前記ローラーチャンバ２８の左側内壁と前記回転箱３２の左側端面との間には歯車軸２６が回転できるように取り付けられ、前記歯車軸２６の左側端面には回転輪２５が固定的に取り付けられ、前記歯車軸２６の右側端面には第二歯車３１が固定的に取り付けられ、前記第二歯車３１と前記第一歯車２７とが噛合しており、これによりＵＳＢブラグ２３をパソコンのＵＳＢ端子に挿した後、引っ掛かりバックル２４はパソコンのＵＳＢ端子に差し込まれた前記ＵＳＢプラグ２３が緩くなることを防止でき、手動で回転輪２５を回転させ、回転輪２５が第二歯車３１を回転連動させ、第二歯車３１が回転し第一歯車２７を回転連動させ、第一歯車２７が回転しローラー軸３０とローラー２９とを回転連動させ、ローラー２９が回転し電線２２を回収する。
【００１５】
前記連結ブロック３７の頂部端面には第二光板４０がヒンジによって取り付けられ、前記第二光板４０の中には第二光溝４１が設けられ、前記第二光溝４１の頂壁にはバックライト４２が固定的に取り付けられ、前記第一光板４３が前記第二光板４０の右側端面にヒンジによって取り付けられ、連結ブロック３７を引き動かすことで第二ヒンジロッド３６と第一ヒンジロッド５３とを上昇させることができ、第二光板４０と第一光板４３との高度を変え、第二光板４０を回転させることにより光の投射方向を調節でき、第二ノブ５１を回転させ、第二ノブ５１が第二ノブ軸４９と照明ライト５０とを回転連動させ、照明ライト５０から出した光が反射板４４に照射し、反射板４４が光を反射し、光の強度と集散とを調節する。
【００１６】
使用する時、フック２１はライトをノートパソコンのディスプレイにかけることができ、挟み板１２を押すことでライトをデスクにきつく挟むことができ、スタンド１８を回転させ、スタンド１８が引っ掛かり溝１１と引っ掛かり、挟みバネ１６はスライド軸１７を連動させて固定ピン１９にスタンド１８を圧着させることができ、スタンド１８が縦位置に回転した後にデスクに置かれたライトを支持することができ、ＵＳＢブラグ２３をパソコンのＵＳＢ端子に差し込んだ後、引っ掛かりバックル２４はパソコンのＵＳＢ端子に差し込まれた前記ＵＳＢプラグ２３が緩くなることを防止でき、連結ブロック３７を引き動かすことで第二ヒンジロッド３６と第一ヒンジロッド５３とを上昇させることができ、第二光板４０と第一光板４３との高度を変え、第二光板４０を回転させることにより光の投射方向を調節でき、第二ノブ５１を回転させ、第二ノブ５１が第二ノブ軸４９と照明ライト５０とを回転連動させ、照明ライト５０から出した光が反射板４４に照射し、反射板４４が光を反射し、光の強度と集散とを調節し、ライトを使わない時、第二光板４０を押し、第二ヒンジロッド３６と第一ヒンジロッド５３とを収納溝３３の中に収納し、手動で回転輪２５を回転させ、回転輪２５が第二歯車３１を回転連動させ、第二歯車３１が回転し第一歯車２７を回転連動させ、第一歯車２７が回転しローラー軸３０とローラー２９とを回転連動させ、ローラー２９が回転し電線２２を回収する。
【００１７】
本発明の有益効果は：本発明は暗い環境でノートパソコンを使用することに便利であり、複数のライトの置き方を提供し、異なる場合に合わせて選択でき、デスクの占めされた空間を減らし、ＵＳＢブラグが緩くなることを防止でき、光が直接に照射することではなくて反射によって照明し、光線をより柔らかくにし、目を保護し、普及価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020184498.tif 000003
【図２】
2020184498.tif 000004
【図３】
2020184498.tif 000005
【図４】
2020184498.tif 000006
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
正面視で、取り付けブロックを含み、前記取り付けブロックの底部端面にはライトを支持できる支持ブロックが前後に対称的に固定的に取り付けられ、前記支持ブロックの中には支持部品が設けられ、前記支持部品は前記支持ブロックの内部に左右に対称的に設けられたバネ溝を含み、前記バネ溝の中にはスライド軸がスライドできるように取り付けられ、前記スライド軸の一端が前記支持ブロックの片側端面から伸び出し、前記スライド軸にはスタンドが回転できるように取り付けられ、前記スライド軸にはスタンドを圧着することができる固定ピンが取り付けられ、前記スライド軸の片側端面には位置制限ブロックが固定的に取り付けられ、前記位置制限ブロックと前記バネ溝の片側内壁との間には圧着力を提供できる挟みバネが固定的に取り付けられ、前記支持ブロックの左右端面には引っ掛かり溝が左右に対称的に設けられ、前記スタンドを回転させて前記スタンドの支持作用を果す時、前記挟みバネが前記固定ピンを連動させ、前記固定ピンが前記スタンドを押し動かし、スタンドと引っ掛かり溝とをきつく挟ませ、前記取り付けブロックの前後端面の間には第一ノブ軸が回転できるように取り付けられ、前記第一ノブ軸の前後端面には角度を調節できる第一ノブが固定的に取り付けられ、前記第一ノブ軸には回転箱が固定的に取り付けられ、前記回転箱の中にはＵＳＢプラグ挿し部品が設けられ、前記ＵＳＢプラグ挿し部品は電線と前記電線を収束できるローラーチャンバとを含み、前記ローラーチャンバの上下内壁の間にはローラー軸が回転できるように取り付けられ、前記ローラー軸には前記電線を引き動かして収束を行うことができるローラーが固定的に取り付けられ、前記電線の一部にはＵＳＢプラグが固定的に連結され、前記ＵＳＢプラグの上側端面にはパソコンのＵＳＢ端子に差し込まれた前記ＵＳＢプラグが緩くなることを防止できる引っ掛かりバックルが固定的に取り付けられ、前記回転箱の頂部には調節部品が設けられ、前記調節部品は前記回転箱の頂部端面に設けられた収納溝を含み、前記収納溝の左右内壁の間には回転軸が回転できるように取り付けられ、前記回転軸と前記回転箱との間には前記回転軸と前記回転箱との間の回転の摩擦力を増やすことができる摩擦リングが回転できるように取り付けられ、前記回転軸には第一ヒンジロッドが固定的に取り付けられ、前記第一ヒンジロッドには第二ヒンジロッドがヒンジによって取り付けられ、前記第二ヒンジロッドの頂端には連結ブロックがヒンジによって取り付けられ、連結ブロックを引き動かすことによって連結ブロックの高度を変えることができ、これにより照射する面積を変えることができ、前記調節部品は第一光板も含み、前記第一光板の中には第一光溝が設けられ、前記第一光溝の中には光を反射できる反射板が固定的に取り付けられ、前記第一光溝の左側内壁の中には前記第一光溝と連通した調節溝が設けられ、前記調節溝の前後内壁の間には第二ノブ軸が回転できるように取り付けられ、前記第二ノブ軸には照明ライトが固定的に取り付けられ、前記第二ノブ軸の前後端面には第二ノブが前後に対称的に固定的に取り付けられ、前記第二ノブを回転させて前記照明ライトが前記反射板に照射する光の角度を変え、これにより光の強度と集散とを変えることを特徴とするノートパソコン用照明ライト。
【請求項２】
前記支持部品は前記回転箱の右側端面に固定的に取り付けられたフックも含み、前記支持ブロックの底部端面には挟み板がヒンジによって取り付けられ、前記支持ブロックと前記挟み板との間にはトーションバネが固定的に取り付けられることができることを特徴とする請求項１に記載のノートパソコン用照明ライト。
【請求項３】
前記ＵＳＢプラグ挿し部品は前記ローラー軸に固定的に取り付けられた第一歯車も含み、前記ローラーチャンバの左側内壁と前記回転箱の左側端面との間には歯車軸が回転できるように取り付けられ、前記歯車軸の左側端面には回転輪が固定的に取り付けられ、前記歯車軸の右側端面には第二歯車が固定的に取り付けられ、前記第二歯車と前記第一歯車とが噛合していることを特徴とする請求項１に記載のノートパソコン用照明ライト。
【請求項４】
前記連結ブロックの頂部端面には第二光板がヒンジによって取り付けられ、前記第二光板の中には第二光溝が設けられ、前記第二光溝の頂壁にはバックライトが固定的に取り付けられ、前記第一光板が前記第二光板の右側端面にヒンジによって取り付けられることを特徴とする請求項１に記載のノートパソコン用照明ライト。
【手続補正２】
【補正対象書類名】明細書
【補正対象項目名】全文
【補正方法】変更
【補正の内容】
【発明の詳細な説明】
【技術分野】
【０００１】
本発明はコンピューター分野を取り上げて、具体的にはノートパソコン用照明ライトである。
【背景技術】
【０００２】
ノートパソコンを比較的に暗い環境で使用する時、多くのノートパソコンにはバックライトがついていないため、キーボードを使うことが結構大変なことであり、特に外部の環境が暗くなったら、ディスプレイの強い光が目を刺激し、目に一定のダメージを与え、また、デスクライトを使って照明する場合は、ライトが占めした空間が大きく、光の強度と照らす位置とをニーズに合わせて調節できない。
【先行技術文献】
【特許文献】
【０００３】
【特許文献１】中国特許出願公開第１０５０４２４７８号明細書
【発明の概要】
【発明が解決しようとする課題】
【０００４】
本発明の目的はノートパソコン用照明ライトを提供し、それは上記の現在の技術中の問題を解決できる。
【課題を解決するための手段】
【０００５】
本発明のノートパソコン用照明ライトは、取り付けブロックを含み、前記取り付けブロックの底部端面にはライトを支持できる支持ブロックが前後に対称的に固定的に取り付けられ、前記支持ブロックの中には支持部品が設けられ、前記支持部品は前記支持ブロックの内部に左右に対称的に設けられたバネ溝を含み、前記バネ溝の中にはスライド軸がスライドできるように取り付けられ、前記スライド軸の一端が前記支持ブロックの片側端面から伸び出し、前記スライド軸にはスタンドが回転できるように取り付けられ、前記スライド軸にはスタンドを圧着することができる固定ピンが取り付けられ、前記スライド軸の片側端面には位置制限ブロックが固定的に取り付けられ、前記位置制限ブロックと前記バネ溝の片側内壁との間には圧着力を提供できる挟みバネが固定的に取り付けられ、前記支持ブロックの左右端面には引っ掛かり溝が左右に対称的に設けられ、前記スタンドを回転させて前記スタンドの支持作用を果す時、前記挟みバネが前記固定ピンを連動させ、前記固定ピンが前記スタンドを押し動かし、スタンドと引っ掛かり溝とをきつく挟ませ、前記取り付けブロックの前後端面の間には第一ノブ軸が回転できるように取り付けられ、前記第一ノブ軸の前後端面には角度を調節できる第一ノブが固定的に取り付けられ、前記第一ノブ軸には回転箱が固定的に取り付けられ、前記回転箱の中にはＵＳＢプラグ挿し部品が設けられ、前記ＵＳＢプラグ挿し部品は電線と前記電線を収束できるローラーチャンバとを含み、前記ローラーチャンバの上下内壁の間にはローラー軸が回転できるように取り付けられ、前記ローラー軸には前記電線を引き動かして収束を行うことができるローラーが固定的に取り付けられ、前記電線の一部にはＵＳＢプラグが固定的に連結され、前記ＵＳＢプラグの上側端面にはパソコンのＵＳＢ端子に差し込まれた前記ＵＳＢプラグが緩くなることを防止できる引っ掛かりバックルが固定的に取り付けられ、前記回転箱の頂部には調節部品が設けられ、前記調節部品は前記回転箱の頂部端面に設けられた収納溝を含み、前記収納溝の左右内壁の間には回転軸が回転できるように取り付けられ、前記回転軸と前記回転箱との間には前記回転軸と前記回転箱との間の回転の摩擦力を増やすことができる摩擦リングが回転できるように取り付けられ、前記回転軸には第一ヒンジロッドが固定的に取り付けられ、前記第一ヒンジロッドには第二ヒンジロッドがヒンジによって取り付けられ、前記第二ヒンジロッドの頂端には連結ブロックがヒンジによって取り付けられ、連結ブロックを引き動かすことによって連結ブロックの高度を変えることができ、これにより照射する面積を変えることができ、前記調節部品は第一光板も含み、前記第一光板の中には第一光溝が設けられ、前記第一光溝の中には光を反射できる反射板が固定的に取り付けられ、前記第一光溝の左側内壁の中には前記第一光溝と連通した調節溝が設けられ、前記調節溝の前後内壁の間には第二ノブ軸が回転できるように取り付けられ、前記第二ノブ軸には照明ライトが固定的に取り付けられ、前記第二ノブ軸の前後端面には第二ノブが前後に対称的に固定的に取り付けられ、前記第二ノブを回転させて前記照明ライトが前記反射板に照射する光の角度を変え、これにより光の強度と集散とを変える。
【０００６】
更の技術プラン、前記支持部品は前記回転箱の右側端面に固定的に取り付けられたフックも含み、前記支持ブロックの底部端面には挟み板がヒンジによって取り付けられ、前記支持ブロックと前記挟み板との間にはトーションバネが固定的に取り付けられている。
【０００７】
更の技術プラン、前記ＵＳＢプラグ挿し部品は前記ローラー軸に固定的に取り付けられた第一歯車も含み、前記ローラーチャンバの左側内壁と前記回転箱の左側端面との間には歯車軸が回転できるように取り付けられ、前記歯車軸の左側端面には回転輪が固定的に取り付けられ、前記歯車軸の右側端面には第二歯車が固定的に取り付けられ、前記第二歯車と前記第一歯車とが噛合している。
【０００８】
更の技術プラン、前記連結ブロックの頂部端面には第二光板がヒンジによって取り付けられ、前記第二光板の中には第二光溝が設けられ、前記第二光溝の頂壁にはバックライトが固定的に取り付けられ、前記第一光板が前記第二光板の右側端面にヒンジによって取り付けらている。
【発明の効果】
【０００９】
本発明は暗い環境でノートパソコンを使用することに便利であり、複数のライトの置き方を提供し、異なる場合に合わせて選択でき、デスクの占めされた空間を減らし、ＵＳＢブラグが緩くなることを防止でき、光が直接に照射することではなくて反射によって照明し、光線をより柔らかくにし、目を保護し、普及価値がある。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の全体構成略図
【図２】図２は図１の右面構成略図
【図３】図３は図１のＡのところの拡大構成略図
【図４】図４は図３のＢ―Ｂ方向からの断面構成略図
【発明を実施するための形態】
【００１２】
図１〜４を参照し、本発明のノートパソコン用照明ライトは、取り付けブロック２０を含み、前記取り付けブロック２０の底部端面にはライトを支持できる支持ブロック１０が前後に対称的に固定的に取り付けられ、前記支持ブロック１０の中には支持部品８０が設けられ、前記支持部品８０は前記支持ブロック１０の内部に左右に対称的に設けられたバネ溝１４を含み、前記バネ溝１４の中にはスライド軸１７がスライドできるように取り付けられ、前記スライド軸１７の一端が前記支持ブロック１０の片側端面から伸び出し、前記スライド軸１７にはスタンド１８が回転できるように取り付けられ、前記スライド軸１７にはスタンド１８を圧着することができる固定ピン１９が取り付けられ、前記スライド軸１７の片側端面には位置制限ブロック１５が固定的に取り付けられ、前記位置制限ブロック１５と前記バネ溝１４の片側内壁との間には圧着力を提供できる挟みバネ１６が固定的に取り付けられ、前記支持ブロック１０の左右端面には引っ掛かり溝１１が左右に対称的に設けられ、前記スタンド１８を回転させて前記スタンド１８の支持作用を果す時、前記挟みバネ１６が前記固定ピン１９を連動させ、前記固定ピン１９が前記スタンド１８を押し動かし、スタンド１８と引っ掛かり溝１１とをきつく挟ませ、前記取り付けブロック２０の前後端面の間には第一ノブ軸４６が回転できるように取り付けられ、前記第一ノブ軸４６の前後端面には角度を調節できる第一ノブ４７が固定的に取り付けられ、前記第一ノブ軸４６には回転箱３２が固定的に取り付けられ、前記回転箱３２の中にはＵＳＢプラグ挿し部品８１が設けられ、前記ＵＳＢプラグ挿し部品８１は電線２２と前記電線２２を収束できるローラーチャンバ２８とを含み、前記ローラーチャンバ２８の上下内壁の間にはローラー軸３０が回転できるように取り付けられ、前記ローラー軸３０には前記電線２２を引き動かして収束を行うことができるローラー２９が固定的に取り付けられ、前記電線２２の一部にはＵＳＢプラグ２３が固定的に連結され、前記ＵＳＢプラグ２３の上側端面にはパソコンのＵＳＢ端子に差し込まれた前記ＵＳＢプラグ２３が緩くなることを防止できる引っ掛かりバックル２４が固定的に取り付けられ、前記回転箱３２の頂部には調節部品８２が設けられ、前記調節部品８２は前記回転箱３２の頂部端面に設けられた収納溝３３を含み、前記収納溝３３の左右内壁の間には回転軸３４が回転できるように取り付けられ、前記回転軸３４と前記回転箱３２との間には前記回転軸３４と前記回転箱３２との間の回転の摩擦力を増やすことができる摩擦リング３５が回転できるように取り付けられ、前記回転軸３４には第一ヒンジロッド５３が固定的に取り付けられ、前記第一ヒンジロッド５３には第二ヒンジロッド３６がヒンジによって取り付けられ、前記第二ヒンジロッド３６の頂端には連結ブロック３７がヒンジによって取り付けられ、連結ブロック３７を引き動かすことによって連結ブロック３７の高度を変えることができ、これにより照射する面積を変えることができ、前記調節部品８２は第一光板４３も含み、前記第一光板４３の中には第一光溝４５が設けられ、前記第一光溝４５の中には光を反射できる反射板４４が固定的に取り付けられ、前記第一光溝４５の左側内壁の中には前記第一光溝４５と連通した調節溝４８が設けられ、前記調節溝４８の前後内壁の間には第二ノブ軸４９が回転できるように取り付けられ、前記第二ノブ軸４９には照明ライト５０が固定的に取り付けられ、前記第二ノブ軸４９の前後端面には第二ノブ５１が前後に対称的に固定的に取り付けられ、前記第二ノブ５１を回転させて前記照明ライト５０が前記反射板４４に照射する光の角度を変え、これにより光の強度と集散とを変える。
【００１３】
前記支持部品８０は前記回転箱３２の右側端面に固定的に取り付けられたフック２１も含み、前記支持ブロック１０の底部端面には挟み板１２がヒンジによって取り付けられ、前記支持ブロック１０と前記挟み板１２との間にはトーションバネ１３が固定的に取り付けられる。
【００１４】
前記ＵＳＢプラグ挿し部品８１は前記ローラー軸３０に固定的に取り付けられた第一歯車２７も含み、前記ローラーチャンバ２８の左側内壁と前記回転箱３２の左側端面との間には歯車軸２６が回転できるように取り付けられ、前記歯車軸２６の左側端面には回転輪２５が固定的に取り付けられ、前記歯車軸２６の右側端面には第二歯車３１が固定的に取り付けられ、前記第二歯車３１と前記第一歯車２７とが噛合している。
【００１５】
前記連結ブロック３７の頂部端面には第二光板４０がヒンジによって取り付けられ、前記第二光板４０の中には第二光溝４１が設けられ、前記第二光溝４１の頂壁にはバックライト４２が固定的に取り付けられ、前記第一光板４３が前記第二光板４０の右側端面にヒンジによって取り付けられる。
【００１６】
使用する時、フック２１はライトをノートパソコンのディスプレイにかけることができ、挟み板１２を押すことでライトをデスクにきつく挟むことができ、スタンド１８を回転させ、スタンド１８が引っ掛かり溝１１と引っ掛かり、挟みバネ１６はスライド軸１７を連動させて固定ピン１９にスタンド１８を圧着させることができ、スタンド１８が縦位置に回転した後にデスクに置かれたライトを支持することができ、ＵＳＢブラグ２３をパソコンのＵＳＢ端子に差し込んだ後、引っ掛かりバックル２４はパソコンのＵＳＢ端子に差し込まれた前記ＵＳＢプラグ２３が緩くなることを防止でき、連結ブロック３７を引き動かすことで第二ヒンジロッド３６と第一ヒンジロッド５３とを上昇させることができ、第二光板４０と第一光板４３との高度を変え、第二光板４０を回転させることにより光の投射方向を調節でき、第二ノブ５１を回転させ、第二ノブ５１が第二ノブ軸４９と照明ライト５０とを回転連動させ、照明ライト５０から出した光が反射板４４に照射し、反射板４４が光を反射し、光の強度と集散とを調節し、ライトを使わない時、第二光板４０を押し、第二ヒンジロッド３６と第一ヒンジロッド５３とを収納溝３３の中に収納し、手動で回転輪２５を回転させ、回転輪２５が第二歯車３１を回転連動させ、第二歯車３１が回転し第一歯車２７を回転連動させ、第一歯車２７が回転しローラー軸３０とローラー２９とを回転連動させ、ローラー２９が回転し電線２２を回収する。
【００１７】
本発明の有益効果は：本発明は暗い環境でノートパソコンを使用することに便利であり、複数のライトの置き方を提供し、異なる場合に合わせて選択でき、デスクの占めされた空間を減らし、ＵＳＢブラグが緩くなることを防止でき、光が直接に照射することではなくて反射によって照明し、光線をより柔らかくにし、目を保護し、普及価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。